(57)【要約】本発明はコードレスヘアーアイロンに結合される放熱板及びコードレスヘアーアイロンに関する。コードレスヘアーアイロン用放熱板１４０、１５０は、熱を発生させるＰＣＢヒーター２１０と、ＰＣＢヒーターを囲み、髪の毛に適用の時直接髪の毛と接触することができ、ＰＣＢヒーターで発生した熱によって変形されることのない、弾性を有するゴム密封材２２０とを含む。【選択図】図２
2012523885.tif 000002
【特許請求の範囲】
【請求項１】
熱を発生させるＰＣＢヒーターと、
前記ＰＣＢヒーターを囲み、髪の毛に適用の時、直接髪の毛に接触することができ、前記ＰＣＢヒーターで発生した熱によって変形されることのない、弾性を有するゴム密封材とを含むことを特徴とする放熱板。
【請求項２】
前記ゴム密封材は、シリコーン（ｓｉｌｉｃｏｎｅ）ゴムまたはウレタン（ｕｒｅｔｈａｎｅ）ゴムからなることを特徴とする請求項１に記載の放熱板。
【請求項３】
前記シリコーンゴムは炭素粉末を含むことを特徴とする請求項２に記載の放熱板。
【請求項４】
前記シリコーンゴムは、シリコーン（ｓｉｌｉｃｏｎｅ）を６０〜８０重量％含み、炭素粉末を２０〜４０重量％含むことを特徴とする請求項２に記載の放熱板。
【請求項５】
前記ＰＣＢヒーターは、
ＰＣＢ断熱材と、
前記ＰＣＢ断熱材に連結され、熱を発生させる熱線と、
前記熱線を包む発熱部材とを含むことを特徴とする請求項１に記載の放熱板。
【請求項６】
互いに対向し、各一端がヒンジによって結合されて、やっとこ状に形成される第１部材と第２部材と、
前記第１部材及び前記第２部材の各内面に付着され、互いに対向する第１放熱板及び第２放熱板とを含み、
前記第１放熱板及び第２放熱板はそれぞれ、熱を発生するＰＣＢヒーターと、
前記ＰＣＢヒーターを囲むゴム密封材とを含むことを特徴とするコードレスヘアーアイロン。
【請求項７】
前記ゴム密封材はシリコーン（ｓｉｌｉｃｏｎｅ）ゴムまたはウレタン（ｕｒｅｔｈａｎｅ）ゴムからなることを特徴とする請求項６に記載のコードレスヘアーアイロン。
【請求項８】
前記シリコーンゴムは炭素粉末をさらに含むことを特徴とする請求項７に記載のコードレスヘアーアイロン。
【請求項９】
前記シリコーンゴムはシリコーン（ｓｉｌｉｃｏｎｅ）を６０〜８０重量％含み、炭素粉末を２０〜４０重量％含むことを特徴とする請求項７に記載のコードレスヘアーアイロン。
【発明の詳細な説明】
【技術分野】
【０００１】
本発明はコードレスヘアーアイロンに結合される放熱板及びコードレスヘアーアイロンに関する。
【背景技術】
【０００２】
コードレスヘアーアイロンは、場所に関係なく多様なヘアースタイルを便利に演出するための装置である。コードレスヘアーアイロンの第１部材及び第２部材に付着された第１放熱板と第２放熱板との間に髪を挟んで熱を加えると、簡単に所望のスタイルに完成することができる。
【０００３】
図３によれば、従来のコードレスヘアーアイロンの放熱板３００は、セラミックスヒーター３１０と、セラミックスヒーター３１０の上部に別途の金属からなる発熱板３２０と、発熱板３２０をコーティングするためのセラミックスコーティング層３３０との３段構造で構成されている。
【０００４】
また、コードレスヘアーアイロンの放熱板は、髪と直接当接する部分で、従来のコードレスヘアーアイロンは、このような放熱板の最も外側の材質を硬い性質のセラミックスでコーティングされた金属、プラスチックにしている。
【発明の概要】
【発明が解決しようとする課題】
【０００５】
この構造によれば、熱效率が悪く、従ってコードレスヘアーアイロンに使うには電力消費が大きいという問題点がある。
【０００６】
また、硬い材質の放熱板は、髪を押す時髪の全体を巻き込むことができなくて髪に熱が均一に伝達されなく、柔らかく引っ張ることができず、毛の髪が抜けたり、損傷される問題がある。
【課題を解決するための手段】
【０００７】
実施形態において、コードレスヘアーアイロン用放熱板は、熱を発生させるＰＣＢヒーターと、ＰＣＢヒーターを囲み、髪に適用の時、直接髪に接触することができ、ＰＣＢヒーターで発生された熱によって変形されることのない、弾性を有するゴム密封材とを含む。
【０００８】
実施形態において、コードレスヘアーアイロンは、互いに対向し、各一端がヒンジによって結合されて、やっとこ状に形成される第１部材と第２部材、及び第１部材及び第２部材の各内面に付着されて、互いに対向する第１放熱板及び第２放熱板を含み、第１放熱板及び第２放熱板それぞれは熱を発生させるＰＣＢヒーター、及びＰＣＢヒーターを囲むゴム密封材を含む。
【発明の効果】
【０００９】
本発明は以下の效果を奏する。ただ、特定実施形態が次の效果を全部含まなければならないとか、以下の效果のみを含まなければならないという意味ではないので、本発明の権利範囲はこれによって制限されるものと理解してはならない。
【００１０】
上述したコードレスヘアーアイロンの放熱板は、別途の発熱板を備えない一体型放熱板で、ヒーターで発生した熱を放熱板の表面によりよく伝達することができ、ＰＣＢヒーターの一面にＰＣＢ断熱板を含んでいて、外部に損失される熱を遮断することができる。従って、熱效率が優れ、且つ電力消費が少なくて、バッテリーを充電して使うコードレスヘアーアイロンに適する。
【００１１】
また、上述したコードレスヘアーアイロンの放熱板は柔らかくて且つ弾性の良いゴム密封材を備えて、髪の毛を柔らかく挟むので、より容易に所望のヘアースタイルを演出することができ、髪の毛を引っ張りすぎて抜ける問題を改善することができる。また、髪の毛を隙間なく巻き込むことができて、髪の毛のすべての面に均一に熱を伝えることができる。また、上述したコードレスヘアーアイロンの放熱板はシリコーンゴムに炭素粉末をさらに含み、従来のアイロンの放熱板に比べて、コードレスヘアーアイロンを使う時髪の毛の静電気の発生を減少させることができる。
【００１２】
以上では本発明の好ましい実施形態を参照して説明したが、当該技術分野における熟練された当業者は下記の特許請求の範囲に記載された本発明の思想及び領域から逸脱しない範囲内で本発明を多様に修正及び変更する可能性があることを理解すべきである。
【図面の簡単な説明】
【００１３】
【図１】本発明の一実施形態によるコードレスヘアーアイロンを説明するための斜視図である。
【図２】図１の放熱板の構造を示した断面図である。
【図３】従来のコードレスヘアーアイロンの放熱板の構造を示した断面図である。
【発明を実施するための形態】
【００１４】
本発明に係わる説明は構造的ないし機能的説明のための実施形態に過ぎないので、本発明の権利範囲は本明細書で説明された実施形態によって制限されるものに解釈してはならない。即ち、実施形態は多様な変更が可能で、様々な形態を有することができるので、本発明の権利範囲は技術思想を実現することができる均等物を含むものと理解すべきである。
【００１５】
一方、本発明で用いられる用語の意味は以下のように理解すべきである。
【００１６】
「第１」、「第２」などの用語は一つの構成要素を他の構成要素から区別するためのもので、これらの用語によって権利範囲が限定されてはならない。例えば、第１構成要素は第２構成要素と命名してもよく、同様に第２構成要素も第１構成要素に命名してもよい。
【００１７】
ある構成要素が他の構成要素に「連結されて」いると言及された時には、その他の構成要素に直接連結されることもできるが、中間に他の構成要素が存在することもできると理解すべきである。一方、ある構成要素が他の構成要素に「直接連結されて」いると言及された時には、中間に他の構成要素が存在しないと理解すべきである。一方、構成要素との関係を説明する他の表現、即ち「〜間に」と「真〜間に」または「〜に隣接する」と「〜に直接隣接する」なども同じく解釈すべきである。
【００１８】
単数の表現は文脈上明確に表現しない限り複数の表現を含むものと理解すべきであり、「含む」または「有する」などの用語は設置された特徴、数字、段階、動作、構成要素、部品またはこれらを組み合わせたものが存在することを指定するものであり、一つまたはその以上の他の特徴や数字、段階、動作、構成要素、部品またはこれらを組み合わせたものの存在または付加可能性を予め排除しないことと理解すべきである。
【００１９】
ここで使用される全ての用語は特に定義がない限り、本発明が属する技術分野において通常の知識を有する者による一般的な理解と同じ意味を有する。一般的に用いられる辞典に定義された用語は関連技術の文脈上有する意味と一致するものと解釈すべきであり、本発明で明確に定義しない限り理想的で且つ過度に形式的な意味を有するものに解釈されることができない。
【００２０】
図１は本発明の一実施形態によるコードレスヘアーアイロンを説明するための斜視図である。
【００２１】
図１によれば、コードレスヘアーアイロン１００は、第１部材１１０、第２部材１２０、第１放熱板１４０及び第２放熱板１５０を含む。コードレスヘアーアイロン１００は、第１放熱板１４０及び第２放熱板１５０に電源を供給する充電可能なバッテリー１６０と充電端子１７０をさらに含むことができる。
【００２２】
第１部材１１０と第２部材１２０は、ヒンジ１３０を中心に互いに対向するように一端部が連結されて、やっとこ状に形成されている。第１部材１１０と第２部材１２０は所定の角度以内で動くことができ、コードレスヘアーアイロン１００の取っ手として用いることができる。第１部材１１０または第２部材１２０には電源を調節するボタン１８０と、ボタン１８０が押されられた状態によって電源のＯＮ／ＯＦＦまたは第１放熱板１４０及び第２放熱板１５０の温度を表示するディスプレー１９０が付着されることができる。
【００２３】
第１放熱板１４０と第２放熱板１５０は、第１部材１１０と第２部材１２０の各内面に付着されて、互いに対向する。コードレスヘアーアイロン１００は、第１放熱板１４０と第２放熱板１５０との間に髪の毛を挟んで使うことができ、髪の毛に熱を加えてヘアースタイルを変形させることができるように、第１放熱板１４０及び第２放熱板１５０では所定温度の熱を放出させることができる。
【００２４】
コードレスヘアーアイロン１００はコードレスで電源が供給されて使用することができ、充電可能なバッテリー１６０と充電端子１７０をさらに含むことができる。充電端子１７０にアダプダ（末図示）を連結してバッテリー１６０を充電すれば、コードレスヘアーアイロン１００はコードレスで使用することができ、アダプダに連結されたままバッテリー１６０を充電しながら同時に有線で使うこともできる。
【００２５】
図２は図１の放熱板の断面を示した図面である。
【００２６】
図２によれば、放熱板１４０、１５０は熱を発生させるＰＣＢヒーター２１０と、ＰＣＢヒーター２１０を囲んでいるゴム密封材２２０とを含む。放熱板１４０、１５０は、ＰＣＢヒーター２１０に電源を供給するための電源端子２６０をさらに含むことができる。
【００２７】
放熱板１４０、１５０はセラミックスヒーター３１０と別途の金属発熱板３２０、及びセラミックスコーティング層３３０からなる従来の放熱板３００と異なって、別途の発熱板を具備しないでゴム密封材２２０でＰＣＢヒーター２１０をモールディングした一体型放熱板で、ＰＣＢヒーター２１０で発生した熱が外部に損失されることを防止し、ＰＣＢヒーター２１０で発生した熱が別途の発熱板を経らないで放熱板１４０、１５０の表面に伝達されることができるようにする。
【００２８】
一実施形態によって、ＰＣＢヒーター２１０は、ＰＣＢ断熱材２３０、熱線２４０、発熱部材２５０を含むことができる。一例として、熱を遮断することができるフェノール樹脂またはエポキシ樹脂などからなる所定のＰＣＢ断熱材２３０がＰＣＢヒーター２１０の内部に配置されることができる。ＰＣＢ断熱材２３０は熱線２４０で発生する熱を制御できるように設計された回路パターンが形成されている絶縁基板であり、ＰＣＢ断熱材２３０の内部を通過して伝導される熱を遮断してＰＣＢヒーター２１０の熱效率を向上させることができる。熱線２４０はＰＣＢ断熱材２３０の上面に互いに重ならないように付着されて外部から印加された電源に応答して熱を発生させることができる。発熱部材２５０は熱線２４０を包むように配置されて、熱線２４０を保護し、一般的に金属からなって熱線２４０で発生した熱を均一にゴム密封材２２０に伝達することができる。
【００２９】
上記のような構造を有するＰＣＢヒーター２１０は、熱效率が優れているので、電力消耗が少なく、特にバッテリーから電源を受けるコードレスヘアーアイロンに使われることができる。外部から供給される電源はボタン１８０が押される状態によって調節されることができ、ＰＣＢヒーターは、一例として、摂氏１７０度、１９０度、２１０度の熱を発生させることができる。
【００３０】
ゴム密封材２２０は、第１部材１１０と第２部材１２０との間隔を狭めることによって、第１放熱板１４０と第２放熱板１５０が当接する場合、髪の毛と直接接触することができる。ゴム密封材２２０は、ＰＣＢヒーター２１０を包んで、ＰＣＢヒーター２１０で発生した熱を受けて所定の温度を維持することができ、ＰＣＢヒーター２１０から伝達された熱を髪の毛に伝達することができる。
【００３１】
ゴム密封材２２０は、熱によって変形、損傷されることなく、弾性材質で形成されて、髪の毛を隙間なく軽く引っ張ることができる。従って、髪の毛に熱を均一に伝達することができ、髪の毛を引っ張り過ぎて抜ける現象を減少させることができて、髪の毛が損傷されることを防止することができる。一例として、ゴム密封材２２０はシリコーンゴムまたはウレタンゴムから形成することができる。
【００３２】
また、ゴム密封材２２０は髪の毛と接触する時に発生する静電気を防止するために、電気伝導性の良い炭素粉末を含むことができる。ゴム密封材２２０が炭素粉末を含有している場合には、放電が発生し易く、静電気の発生が減少される。
【００３３】
一実施形態によって、ゴム密封材２２０はシリコーン系化合物であってもよく、好ましくは、シリコーン（silicone）を主成分として６０〜８０重量％含み、炭素粉末を２０〜４０重量％含む化合物であってもよい。さらに好ましくは、シリコーンを６５〜７５重量％を含み、炭素粉末を２５〜３５重量％含む化合物であってもよい。
【００３４】
他の一実施形態によって、ゴム密封材２２０はウレタン系化合物であってもよく、好ましくは、ウレタン（urethane）を主成分として６０〜８０重量％含み、炭素粉末を２０〜４０重量％含む化合物であってもよい。
【００３５】
炭素粉末が前記範囲の未満である場合には、炭素成分による静電気防止效果がよく現われないこともあり、炭素粉末が上記範囲を超える場合には、シリコーンまたはウレタン成分によるゴム密封材２２０の弾性效果がよく現われないこともある。
【符号の説明】
【００３６】
１４０、１５０：放熱板
２１０：ＰＣＢヒーター
２２０：ゴム密封材
２３０：ＰＣＢ断熱材
２４０：熱線
２５０：発熱部材
２６０：電源端子
【図１】
2012523885.tif 000003
【図２】
2012523885.tif 000004
【図３】
2012523885.tif 000005
【国際調査報告】
2012523885.tif 000006
2012523885.tif 000007
2012523885.tif 000008
2012523885.tif 000009